(57)【要約】【課題】  印刷用画像データの再出力を正しく且つ簡単に行うことを可能にする。【解決手段】  ＩＤ画像データ合成部２７は、画像データ解析加工部２１から出力された印刷用画像データに、当該加工部２１が施したＲＩＰ処理や網点化処理の処理条件と対応付けられたＩＤ情報を含むＩＤ画像データを合成することでＤＣＰ用画像データを生成する。カラーレーザープリンタ３は、出力制御部２８から当該画像データの送信を受けて、記録用紙にその印刷用画像とＩＤ画像とを出力することでカラープルーフを作成する。制御装置の処理条件取得／抽出部２５は、カラーレーザープリンタ３から受信したそのカラープルーフのスキャンデータ（当該装置３のスキャナ部によって読み取ったもの）を受けて、当該スキャンデータからＩＤ画像のＩＤ情報を抽出して、当該ＩＤ情報に対応する処理条件を処理条件保存部２４から読出し、表示部２２は、これを再設定可能に表示する。【選択図】      図３
2005323263.tif 000002
【特許請求の範囲】
【請求項１】
印刷用画像データに基づく印刷用画像を記録用紙に出力する画像出力装置と、前記画像出力装置に対して前記印刷用画像データを送信する制御装置と、を備えた画像出力システムであって、
前記制御装置は、
外部装置から、印刷用画像データを受けて、これを保存する画像データ保存手段と、
前記保存された印刷用画像データに対して所定の加工処理を施す際の処理条件を予め設定可能な設定画面を表示する処理条件設定表示手段と、
前記保存された印刷用画像データを解析して、その解析結果に応じて、前記所定の加工処理を前記予め設定された処理条件にて施す画像データ解析加工手段と、
前記予め設定された処理条件を取得して、当該処理条件にＩＤ情報を付与した上で保存する処理条件保存手段と、
前記処理条件に付与されたＩＤ情報を画像データ化することで、ＩＤ画像データを生成するＩＤ画像データ生成手段と、
前記保存された印刷用画像データの所定位置に前記生成されたＩＤ画像データを合成することで、合成印刷用画像データを生成するＩＤ画像データ合成手段と、
前記生成された合成印刷用画像データを前記画像出力装置へ送信する画像データ送信手段と、
前記画像出力装置から、前記ＩＤ画像データに基づくＩＤ画像を読み取ることで生成されたＩＤ画像読取データを受けて、当該ＩＤ画像読取データを解析することで前記画像データ化されたＩＤ情報を抽出するＩＤ情報抽出手段と、
前記抽出されたＩＤ情報に対応する処理条件を前記処理条件保存手段から読み出して、当該処理条件を前記処理条件設定表示手段によって前記設定画面に再設定可能に表示させる処理条件表示制御手段と、を有し、
前記画像出力装置は、
前記制御装置から、前記合成印刷用画像データの送信を受けて、前記印刷用画像データに基づく印刷用画像と前記ＩＤ画像データに基づくＩＤ画像とを記録用紙に出力する画像出力手段と、
前記記録用紙に出力されたＩＤ画像を読み取ることでＩＤ画像読取データを生成するためのＩＤ画像読取手段と、
前記生成されたＩＤ画像読取データを前記制御装置へ送信するＩＤ画像読取データ送信手段と、を有する画像出力装置と、を備えたことを特徴とする画像出力システム。
【請求項２】
前記処理条件は、前記加工処理としてＲＩＰ処理及び／又は網点化処理を施す場合の当該処理の処理内容を含むことを特徴とする請求項１に記載の画像出力システム。
【請求項３】
前記ＩＤ画像は、当該ＩＤ画像を認識するための認識情報と前記ＩＤ情報の各々に応じて黒のマス目と白のマス目を規則的に配列したものであり、
前記ＩＤ情報抽出手段は、前記ＩＤ画像読取データから前記黒のマス目と白のマス目の規則的な配列を読み取ることで、前記ＩＤ画像を認識して、前記ＩＤ情報を抽出することを特徴とする請求項１又は請求項２に記載の画像出力システム。
【請求項４】
印刷用画像データに基づく印刷用画像を記録用紙に出力する画像出力装置に対して、前記印刷用画像データを送信する制御装置であって、
外部装置から、印刷用画像データを受けて、これを保存する画像データ保存手段と、
前記保存された印刷用画像データに対して所定の加工処理を施す際の処理条件を予め設定可能な設定画面を表示する処理条件設定表示手段と、
前記保存された印刷用画像データを解析して、その解析結果に応じて、前記所定の加工処理を前記予め設定された処理条件にて施す画像データ解析加工手段と、
前記予め設定された処理条件を取得して、当該処理条件にＩＤ情報を付与した上で保存する処理条件保存手段と、
前記処理条件に付与されたＩＤ情報を画像データ化することで、ＩＤ画像データを生成するＩＤ画像データ生成手段と、
前記保存された印刷用画像データの所定位置に前記生成されたＩＤ画像データを合成することで、合成印刷用画像データを生成するＩＤ画像データ合成手段と、
前記生成された合成印刷用画像データを前記画像出力装置へ送信する画像データ送信手段と、
前記画像出力装置から、当該画像出力装置が前記送信された合成印刷用画像データに基づいて記録用紙に出力した前記印刷用画像データに基づく印刷用画像と前記ＩＤ画像データに基づくＩＤ画像の内、少なくとも前記ＩＤ画像を読み取ることで生成されたＩＤ画像読取データを受けて、当該ＩＤ画像読取データを解析することで前記画像データ化されたＩＤ情報を抽出するＩＤ情報抽出手段と、
前記抽出されたＩＤ情報に対応する処理条件を前記処理条件保存手段から読み出して、当該処理条件を前記処理条件設定表示手段によって前記設定画面に再設定可能に表示させる処理条件表示制御手段と、を有することを特徴とする制御装置。
【請求項５】
前記処理条件は、前記加工処理としてＲＩＰ処理及び／又は網点化処理を施す場合の当該処理の処理内容を含むことを特徴とする請求項４に記載の制御装置。
【請求項６】
前記ＩＤ画像は、当該ＩＤ画像を認識するための認識情報と前記ＩＤ情報の各々に応じて黒のマス目と白のマス目を規則的に配列したものであり、
前記ＩＤ情報抽出手段は、前記ＩＤ画像読取データから前記黒のマス目と白のマス目の規則的な配列を読み取ることで、前記ＩＤ画像を認識して、前記ＩＤ情報を抽出することを特徴とする請求項４又は請求項５に記載の制御装置。
【請求項７】
印刷用画像データに基づく印刷用画像を記録用紙に出力する画像出力装置に対して、前記印刷用画像データを送信する制御装置における画像出力方法であって、
外部装置から、印刷用画像データを受けて、これを保存する画像データ保存ステップと、
前記保存された印刷用画像データに対して所定の加工処理を施す際の処理条件を予め設定可能な設定画面を表示する処理条件設定表示ステップと、
前記保存された印刷用画像データを解析して、その解析結果に応じて、前記所定の加工処理を前記予め設定された処理条件にて施す画像データ解析加工ステップと、
前記予め設定された処理条件を取得して、当該処理条件にＩＤ情報を付与した上で保存する処理条件保存ステップと、
前記処理条件に付与されたＩＤ情報を画像データ化することで、ＩＤ画像データを生成するＩＤ画像データ生成ステップと、
前記保存された印刷用画像データの所定位置に前記生成されたＩＤ画像データを合成することで、合成印刷用画像データを生成するＩＤ画像データ合成ステップと、
前記生成された合成印刷用画像データを前記画像出力装置へ送信する画像データ送信ステップと、
前記画像出力装置から、当該画像出力装置が前記送信された合成印刷用画像データに基づいて記録用紙に出力した前記印刷用画像データに基づく印刷用画像と前記ＩＤ画像データに基づくＩＤ画像の内、少なくとも前記ＩＤ画像を読み取ることで生成されたＩＤ画像読取データを受けて、当該ＩＤ画像読取データを解析することで前記画像データ化されたＩＤ情報を抽出するＩＤ情報抽出ステップと、
前記抽出されたＩＤ情報に対応する処理条件を読み出して、当該処理条件を前記設定画面に再設定可能に表示させる処理条件表示制御ステップと、を含むことを特徴とする画像出力方法。
【請求項８】
前記処理条件は、前記加工処理としてＲＩＰ処理及び／又は網点化処理を施す場合の当該処理の処理内容を含むことを特徴とする請求項７に記載の画像出力方法。
【請求項９】
前記ＩＤ画像は、当該ＩＤ画像を認識するための認識情報と前記ＩＤ情報の各々に応じて黒のマス目と白のマス目を規則的に配列したものであり、
前記ＩＤ情報抽出手段は、前記ＩＤ画像読取データから前記黒のマス目と白のマス目の規則的な配列を読み取ることで、前記ＩＤ画像を認識して、前記ＩＤ情報を抽出することを特徴とする請求項７又は請求項８に記載の画像出力方法。
【請求項１０】
請求項７乃至請求項９の何れか一項に記載の画像出力方法を前記制御装置のコンピュータにおいて実行させることを特徴とするプログラム。
【請求項１１】
請求項１０に記載のプログラムを前記制御装置のコンピュータによって読み出し可能に記憶したことを特徴とする記憶媒体。
【発明の詳細な説明】
【技術分野】
【０００１】
本発明は、出力担当者が印刷用画像データの再出力を正しく且つ簡単に行うことができるように、当該印刷用画像データの処理条件を再設定可能に表示する画像出力システム、制御装置、画像出力方法、その方法を実行させるためのプログラム、及び、そのプログラムを記憶した記憶媒体に関する。
【背景技術】
【０００２】
近年においては、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、ページ面付けする作業が一般化し、フルディジタルでの編集も珍しくなくなってきている。
【０００３】
このような印刷製版工程では、さらなる効率化を目指して、そのページ面付け済みの画像データをフィルムに直接出力するイメージセッタ出力や、印刷版に直接画像記録を行うＣＴＰ（Ｃｏｍｐｕｔｅｒ  ｔｏ  Ｐｌａｔｅ）出力、さらには印刷機のシリンダー上に巻かれた印刷版に直接画像記録を行うＣＴＣ（Ｃｏｍｐｕｔｅｒ  ｔｏ  Ｃｙｌｉｎｄｅｒ）出力などが行われている。
【０００４】
この際、校正を行うためにフィルム出力や印刷版出力を行うことは、フィルムや印刷版にムダが生じ、また、余計な作業が多くなるという問題がある。
【０００５】
そこで、このようなコンピュータによるフルディジタルの画像作成／編集などを行う工程においては、ＤＤＣＰ（Ｄｉｒｅｃｔ  Ｄｉｇｉｔａｌ  Ｃｏｌｏｒ  Ｐｒｏｏｆ）と称される直接カラー画像出力を行うシステムが求められるようになった。
【０００６】
このＤＤＣＰシステムにより、例えばページ面付け済みの画像データをイメージセッタなどで製版用フィルム上に記録したり、プレートセッタ（ＣＴＰ出力システムにおいて、印刷版を出力する機械のこと）で直接印刷版を作成する印刷作業を行ったり、ＣＴＣで印刷機のシリンダー上に巻かれた印刷版に直接画像記録を行ったりするなどの前に、これを再現する色見本であるＤＣＰ（Ｄｉｇｉｔａｌ  Ｃｏｌｏｒ  Ｐｒｏｏｆ）を作成することができ、校正担当者は、このＤＣＰを用いて絵柄や色調等の校正を行うことができる。
【０００７】
ところで、このようなＤＣＰを出力する際には、出力担当者は、その印刷用画像データに対して、ＲＩＰ処理や網点化処理等を施す必要があるために、それらに関する様々な処理条件を設定する必要がある。
【０００８】
特に、ＤＣＰにおいては、校正担当者による校正結果をその都度反映させた上で、これを繰り返し出力する必要があることから、非常に手間がかかる作業となる。また、この際には、通常、一部の変更箇所を除いて同じ処理条件を再度設定することになることから、校正担当者は、間違った設定を行わないように注意する必要がある。
【０００９】
因みに、従来においては、例えば特開平５−２７０１０９号公報に記載されるように、ユーザーが、各々、自分の望む初期値を登録しておき、出力設定時には、それらの中から自身の初期値を（そのＩＤ番号を入力して）選択することで、その初期値に従って画像形成処理を行わせることが可能な画像形成装置が提案されている（例えば、特許文献１参照）。
【００１０】
【特許文献１】特開平５−２７０１０９号公報（段落〔００１２〕‐〔００４１〕、第１図乃至第４図）
【発明の開示】
【発明が解決しようとする課題】
【００１１】
しかしながら、このような場合、ユーザーは、初期値としてどの様な内容を登録したのかを覚えておく必要があり、さらに、その設定時にその初期値を選択する作業を行う必要がある。
【００１２】
ここで、上述したように、ＤＣＰを作成するための印刷用画像データにおいては、その画像データ毎に異なる処理条件にてＲＩＰ処理や網点化処理等を施す必要があるために、それらの設定をその都度登録していくこととすると、出力担当者は、膨大な数の中から所望する設定を選択することになり、選択が用意ではなくなる。
【００１３】
本発明は、このような事情を鑑みてなされたものであり、その目的とするところは、印刷用画像にその処理条件と対応付けられたＩＤ情報を含むＩＤ画像を付加した印刷物を作成し、当該印刷物に対応する印刷用画像データを再度出力する場合には、当該印刷物のＩＤ画像を読み取り、これを解析することでそのＩＤ情報を抽出して、当該ＩＤ情報と対応付けられた処理条件を再設定可能に表示することで、出力担当者がこれを利用して、正しく且つ簡単に当該印刷用画像データの再出力を行うことを可能にする画像出力システム、制御装置、画像出力方法、その方法を実行させるためのプログラム、及び、そのプログラムを記憶した記憶媒体を提供することにある。
【課題を解決するための手段】
【００１４】
上記課題を解決するために、請求項１に記載の発明は、印刷用画像データに基づく印刷用画像を記録用紙に出力する画像出力装置と、前記画像出力装置に対して前記印刷用画像データを送信する制御装置と、を備えた画像出力システムであって、前記制御装置は、外部装置から、印刷用画像データを受けて、これを保存する画像データ保存手段と、前記保存された印刷用画像データに対して所定の加工処理を施す際の処理条件を予め設定可能な設定画面を表示する処理条件設定表示手段と、前記保存された印刷用画像データを解析して、その解析結果に応じて、前記所定の加工処理を前記予め設定された処理条件にて施す画像データ解析加工手段と、前記予め設定された処理条件を取得して、当該処理条件にＩＤ情報を付与した上で保存する処理条件保存手段と、前記処理条件に付与されたＩＤ情報を画像データ化することで、ＩＤ画像データを生成するＩＤ画像データ生成手段と、前記保存された印刷用画像データの所定位置に前記生成されたＩＤ画像データを合成することで、合成印刷用画像データを生成するＩＤ画像データ合成手段と、前記生成された合成印刷用画像データを前記画像出力装置へ送信する画像データ送信手段と、前記画像出力装置から、前記ＩＤ画像データに基づくＩＤ画像を読み取ることで生成されたＩＤ画像読取データを受けて、当該ＩＤ画像読取データを解析することで前記画像データ化されたＩＤ情報を抽出するＩＤ情報抽出手段と、前記抽出されたＩＤ情報に対応する処理条件を前記処理条件保存手段から読み出して、当該処理条件を前記処理条件設定表示手段によって前記設定画面に再設定可能に表示させる処理条件表示制御手段と、を有し、前記画像出力装置は、前記制御装置から、前記合成印刷用画像データの送信を受けて、前記印刷用画像データに基づく印刷用画像と前記ＩＤ画像データに基づくＩＤ画像とを記録用紙に出力する画像出力手段と、前記記録用紙に出力されたＩＤ画像を読み取ることでＩＤ画像読取データを生成するためのＩＤ画像読取手段と、前記生成されたＩＤ画像読取データを前記制御装置へ送信するＩＤ画像読取データ送信手段と、を有する画像出力装置と、を備えたことを特徴とする。
【００１５】
上記課題を解決するために、請求項４に記載の発明は、印刷用画像データに基づく印刷用画像を記録用紙に出力する画像出力装置に対して、前記印刷用画像データを送信する制御装置であって、外部装置から、印刷用画像データを受けて、これを保存する画像データ保存手段と、前記保存された印刷用画像データに対して所定の加工処理を施す際の処理条件を予め設定可能な設定画面を表示する処理条件設定表示手段と、前記保存された印刷用画像データを解析して、その解析結果に応じて、前記所定の加工処理を前記予め設定された処理条件にて施す画像データ解析加工手段と、前記予め設定された処理条件を取得して、当該処理条件にＩＤ情報を付与した上で保存する処理条件保存手段と、前記処理条件に付与されたＩＤ情報を画像データ化することで、ＩＤ画像データを生成するＩＤ画像データ生成手段と、前記保存された印刷用画像データの所定位置に前記生成されたＩＤ画像データを合成することで、合成印刷用画像データを生成するＩＤ画像データ合成手段と、前記生成された合成印刷用画像データを前記画像出力装置へ送信する画像データ送信手段と、前記画像出力装置から、当該画像出力装置が前記送信された合成印刷用画像データに基づいて記録用紙に出力した前記印刷用画像データに基づく印刷用画像と前記ＩＤ画像データに基づくＩＤ画像の内、少なくとも前記ＩＤ画像を読み取ることで生成されたＩＤ画像読取データを受けて、当該ＩＤ画像読取データを解析することで前記画像データ化されたＩＤ情報を抽出するＩＤ情報抽出手段と、前記抽出されたＩＤ情報に対応する処理条件を前記処理条件保存手段から読み出して、当該処理条件を前記処理条件設定表示手段によって前記設定画面に再設定可能に表示させる処理条件表示制御手段と、を有することを特徴とする。
【００１６】
上記課題を解決するために、請求項７に記載の発明は、印刷用画像データに基づく印刷用画像を記録用紙に出力する画像出力装置に対して、前記印刷用画像データを送信する制御装置における画像出力方法であって、外部装置から、印刷用画像データを受けて、これを保存する画像データ保存ステップと、前記保存された印刷用画像データに対して所定の加工処理を施す際の処理条件を予め設定可能な設定画面を表示する処理条件設定表示ステップと、前記保存された印刷用画像データを解析して、その解析結果に応じて、前記所定の加工処理を前記予め設定された処理条件にて施す画像データ解析加工ステップと、前記予め設定された処理条件を取得して、当該処理条件にＩＤ情報を付与した上で保存する処理条件保存ステップと、前記処理条件に付与されたＩＤ情報を画像データ化することで、ＩＤ画像データを生成するＩＤ画像データ生成ステップと、前記保存された印刷用画像データの所定位置に前記生成されたＩＤ画像データを合成することで、合成印刷用画像データを生成するＩＤ画像データ合成ステップと、前記生成された合成印刷用画像データを前記画像出力装置へ送信する画像データ送信ステップと、前記画像出力装置から、当該画像出力装置が前記送信された合成印刷用画像データに基づいて記録用紙に出力した前記印刷用画像データに基づく印刷用画像と前記ＩＤ画像データに基づくＩＤ画像の内、少なくとも前記ＩＤ画像を読み取ることで生成されたＩＤ画像読取データを受けて、当該ＩＤ画像読取データを解析することで前記画像データ化されたＩＤ情報を抽出するＩＤ情報抽出ステップと、前記抽出されたＩＤ情報に対応する処理条件を読み出して、当該処理条件を前記設定画面に再設定可能に表示させる処理条件表示制御ステップと、を含むことを特徴とする。
【００１７】
上記課題を解決するために、請求項１０に記載の発明は、請求項７乃至請求項９の何れか一項に記載の画像出力方法を前記制御装置のコンピュータにおいて実行させることを特徴とする。
【００１８】
上記課題を解決するために、請求項１１に記載の発明は、請求項１０に記載のプログラムを前記制御装置のコンピュータによって読み出し可能に記憶したことを特徴とする。
【発明の効果】
【００１９】
本発明に係る画像出力システム、制御装置、画像出力方法、その方法を実行させるためのプログラム、及び、そのプログラムを記憶した記憶媒体によれば、印刷用画像にその処理条件と対応付けられたＩＤ情報を含むＩＤ画像を付加した印刷物を作成し、当該印刷物に対応する印刷用画像データを再度出力する場合には、当該印刷物のＩＤ画像を読み取り、これを解析することでそのＩＤ情報を抽出して、当該ＩＤ情報と対応付けられた処理条件を再設定可能に表示するので、出力担当者は、これを利用して、例えば変更を伴う箇所のみを再設定することのみで当該印刷用画像の再出力を行うことができる。従って、設定ミスが防止され、また、設定作業が大幅に省かれて、出力担当者は、正しく且つ簡単に当該印刷用画像の再出力を行うことができる。
【発明を実施するための最良の形態】
【００２０】
以下、本発明に係る画像出力システム、制御装置、画像出力方法、その方法を実行させるためのプログラム、及び、そのプログラムを記憶した記憶媒体の好適な一実施形態について、図面を参照しながら具体的に説明する。
【００２１】
［画像出力システム］
まず、本実施形態における画像出力システムのシステム構成と概略動作について、図１を参照しつつ、図２に示すフローチャートの流れに沿って説明する。
【００２２】
＜システム構成＞
図１に示すように、当該画像出力システムは、クライアントが画像データの画像編集、例えば面付け作業を行うための少なくとも１台のクライアント端末１と、このクライアント端末１からネットワークを介して送信されたカンプ用画像データ（ページ面付けする前の単ページの画像データ）や、後述するＣＴＰ用ＲＩＰ（ＣＴＰ用ラスターイメージプロセッサ）４から送信されたＲＩＰ処理の施された印刷用画像データ（複数面付けした画像データ）を解析して、それらの画像データにＲＩＰ処理が施されていない場合に、校正担当者が所定の設定画面において予め設定した処理条件に従って、これにＲＩＰ処理を施し、さらに、それらの画像データに網点化処理が施されていない場合に、同じく校正担当者が所定の設定画面において予め設定された処理条件に従って、これに網点化処理を施し、当該網点化された画像データに対して、それらＲＩＰ処理や網点化処理における処理条件と対応付けられたＩＤ情報を含むＩＤ画像データ（但し、占有面積が小さくなるように簡単に構成したもの）を合成して、当該ＩＤ画像データが合成された網点画像データ（本発明の「合成印刷用画像データ」に対応する）をＤＣＰ用画像データとして出力指示信号と共にカラーレーザープリンタ３に送信する制御装置２と、を含んで構成されている。尚、上述したＩＤ情報とは、複数の処理条件を個々に識別するためのものである（制御装置２において扱われる印刷用画像データは複数存在しており、これに対応する処理条件も複数存在することになるため）。
【００２３】
当該画像出力システムは、さらに、この制御装置２から送信されたＤＣＰ用画像データに基づく画像、具体的には、上述したカンプ用画像データや印刷用画像データに基づく網点画像と上述したＩＤ画像データに基づくＩＤ画像を、出力指示信号に従って記録用紙の該当する位置に出力するカラーレーザープリンタ３と、クライアント端末１から送信された印刷用画像データにＲＩＰ処理を施した後、これを制御装置２やＣＴＰ６、高精度なＤＣＰが必要な場合には、ＤＣＰ制御装置５に送信するＣＴＰ用ＲＩＰ４と、を含んで構成されている。
【００２４】
当該画像出力システムは、さらに、このＣＴＰ用ＲＩＰ４から送信された印刷用画像データに基づく画像を出力するＣＴＰ６と、このＣＴＰ用ＲＩＰ４からＤＣＰ制御装置５を介して送信された印刷用画像データに基づく画像をＤＣＰとして出力するＤＣＰ作成装置７と、から構成されている。尚、ＤＣＰ作成装置２は、ＤＣＰ制御装置５において網点化された印刷用画像データに基づいて、複数の光源より波長の異なる光を発することで感光材料を露光して、当該感光材料上に各色の網点を形成することで網点画像を出力するものである。これによりＤＣＰが作成される。
【００２５】
尚、上述した“ＲＩＰ処理”とは、例えばＰｏｓｔＳｃｒｉｐｔ等で記述された画像データを画像出力装置（カラーレーザープリンタ３やＣＴＰ６、ＤＣＰ作成装置７等）の出力解像度にあわせたビットマップデータに展開する処理のことを指す。
【００２６】
また、上述した“処理条件”には、例えば図７の下段に示すように、その印刷用画像データをラスター化した際の解像度やトラッピング設定条件、その印刷用画像データを網点化する際に用いたドットゲインカーブ又はＩＣＣプロファイルの種別、その印刷用画像データを網点化した際の網点形状や解像度、線数等が含まれる。また、この他にも、その印刷用画像データの出力部数、出力先となる画像出力装置（カラーレーザープリンタ３やＣＴＰ６、ＤＣＰ作成装置７等）の種別等が含まれも良い。
【００２７】
また、上述した“出力指示信号”には、ＤＣＰ用画像データの出力を指示する指示信号と、当該ＤＣＰ用画像データに基づく画像、具体的には、上述したカンプ用画像データや印刷用画像データに基づく網点画像と上述したＩＤ画像データに基づくＩＤ画像を出力する記録用紙の位置を指定する指定信号と、が含まれる。
【００２８】
尚、クライアント端末１、制御装置２、ＣＴＰ用ＲＩＰ４及びＤＣＰ制御装置５は、各々、コンピュータ端末として動作するものであって、コンピュータ本体、マウスやキーボード等の操作部、モニタ等の表示部を備え、所定の動作プログラムが組み込まれている。
【００２９】
さらに、クライアント端末１は、画像編集を行うための編集プログラム、イメージスキャナ等の必要な画像入力機器を備えている。また、制御装置２は、後述する＜詳細構成＞及び＜詳細動作＞の処で説明するように、カラーレーザープリンタ３から送信された“上述したカンプ用画像データや印刷用画像データに基づく網点画像と上述したＩＤ画像データに基づくＩＤ画像”のスキャンデータから上述したＩＤ情報を解析して、当該ＩＤ情報に基づく処理条件を設定画面に再設定可能に表示する。
【００３０】
また、カラーレーザープリンタ３は、電子写真方式の複写手段や、イメージスキャナ等のスキャン部を備えたマルチファンクションプリンタであって、上述したように、制御装置２から送信された出力指示信号に従って、記録用紙の該当する位置に、上述したカンプ用画像データや印刷用画像データに基づく網点画像と上述したＩＤ画像データに基づくＩＤ画像を出力する出力部と、さらに、後述する＜詳細構成＞及び＜詳細動作＞の処で説明するように、出力担当者がスキャナ部によって記録用紙に出力された“上述したカンプ用画像データや印刷用画像データに基づく網点画像と上述したＩＤ画像データに基づくＩＤ画像”を読み取った場合に、そのスキャンデータを制御装置２に送信する送信部と、を備えている。ここで、上述したスキャン部は、本発明の「ＩＤ画像読取手段」に対応する。また、上述した出力部は、本発明の「画像出力手段」に対応する。また、上述した送信部は、本発明の「ＩＤ画像読取データ送信手段」に対応する。
【００３１】
＜概略動作＞
図２に示すように、このような構成において、クライアント端末１において画像編集されたカンプ用画像データは、制御装置２へ送信され、これを受けた制御装置２は、当該カンプ用画像データを解析して、その種別を判断する。ここで、クライアント端末１から送信されるカンプ用画像データの種別には、ベクトルデータやラスターデータがあり、制御装置２は、上述の判断結果を受けて、当該カンプ用画像データが未だラスター化されていないベクトルデータであった場合に、これにＲＩＰ加工を施すことでラスター画像データを生成し、さらに、当該ラスター画像データをＤＣＰ作成装置２の出力解像度にあわせた網点画像データに変換する。また、当該カンプ用画像データが既にラスター化されているが未だ網点化されていないラスター画像データであった場合に、当該ラスター画像データをＤＣＰ作成装置２の出力解像度にあわせた網点画像データに変換する。この際、制御装置２は、出力担当者が所定の設定画面において予め設定した出力条件、具体的には、予め設定された解像度やトラッピング設定条件にてベクトルデータをラスター化し、予め設定された網点の形状や線数にてラスター画像データを網点化する。
【００３２】
制御装置２は、さらに、その網点化された画像データに、それらＲＩＰ処理や網点化処理における処理条件と対応付けられたＩＤ情報を画像データ化したＩＤ画像データを合成した上で、当該ＩＤ画像データが合成された網点画像データをＤＣＰ用画像データとして出力指示信号と共にＤＣＰ作成装置２に送信する。
【００３３】
尚、制御装置２は、クライアント端末１から送信されたカンプ用画像データが、既にラスター化され網点化された画像データ、即ち、網点画像データであった場合には、上述した処理の何れも行うことはない。
【００３４】
これを受けたカラーレーザープリンタ３では、出力部がその送信された出力指示信号に従って、記録用紙の該当する面の該当する位置に、同じく送信されたＤＣＰ用画像データに基づく画像を出力する。これにより、記録用紙の所定位置に上述したカンプ用画像データに基づく網点画像とＩＤ画像データに基づくＩＤ画像とが出力されたカラーカンプが作成される（Ｓ０１）。
【００３５】
尚、上述した“カラーカンプ”とは、色付きの仕上がり見本のことであって、ページ面付けされる写真やイラストのダミーとして印刷物に近い仕上がりイメージを見せることにより、デザインが企画・編集意図に沿ったものであるかどうかの検討や、クライアントの承諾を得るためなどに作成される。
【００３６】
即ち、カラーカンプを作成する際には、例えば「Ａ３」、「Ａ４」等の小サイズの記録用紙を用いた単ページの出力を行い、印刷発注主やデザイナー等の校正担当者は、そのカラーカンプの文字校正や色校正等の作業結果確認を行う（Ｓ０２）。
【００３７】
ここで、校正担当者によって問題がないことが確認された場合には（Ｓ０２、ＹＥＳ）、クライアントによってクライアント端末１において面付け作業が行われる（Ｓ０３）。
【００３８】
尚、上述した“面付け作業”とは、製版フィルムを印刷して折り丁にしたときにノンブル（そのページが何ページ目かがわかるように、ページの端に入れておく番号のこと）が順に並ぶように、写真やイラスト等の画像を１６ページ単位、或いは、８ページ単位や４ページ単位で、印刷機にかける用紙のサイズに合わせて貼り合わせる作業のことを指す。
【００３９】
そして、クライアント端末１からＣＴＰ用ＲＩＰ４へ面付け作業が行われた印刷用画像データが送信されると、これを受けたＣＴＰ用ＲＩＰ４は、その印刷用画像データに対してＲＩＰ処理を施すことでラスター画像データを作成する（Ｓ０４）。
【００４０】
ここで、ＤＣＰをカラーレーザープリンタ３にて作成しようとする場合には、このラスター画像データを、ＣＴＰ用ＲＩＰ４から制御装置２へ送信して、これを受けた制御装置２は、校正担当者が所定の設定画面において予め設定した処理条件に従って、当該ラスター画像データに網点化処理を施すことで網点画像データを生成して、さらに、当該網点画像データにその網点処理における処理条件と対応付けられたＩＤ情報を含むＩＤ画像データ（但し、占有面積が小さくなるように簡単に構成したもの）を合成したＤＣＰ用画像データを生成して、これを出力指示信号と共にカラーレーザープリンタ３へ送信する。
【００４１】
これを受けたカラーレーザープリンタ３では、出力部がその送信された出力指示信号に従って、記録用紙の該当する面の該当する位置に、同じく送信されたＤＣＰ用画像データに基づく画像、具体的には、上述した印刷用画像データに基づく網点画像と、上述したＩＤ画像データに基づくＩＤ画像を出力する。これにより、網点画像にＩＤ画像が付加されたＤＣＰが作成される（Ｓ０５）。
【００４２】
尚、このＤＣＰ用画像データに基づく画像が出力される記録用紙は、印刷機にて使用される印刷用紙と同様、若しくは、似通った種類のものを使用することが好ましい。
【００４３】
ここで、校正担当者は、そのＤＣＰの色校正を行う。そして、校正を行った結果、当該ＤＣＰの“印刷用画像データに基づく網点画像”を再度出力する必要が生じた場合には、校正担当者は、後述する＜詳細構成＞及び＜詳細動作＞の処で説明するように、カラーレーザープリンタ３のスキャナ部によって、当該ＤＣＰ上に出力された“印刷用画像データに基づく網点画像と上述したＩＤ画像データに基づくＩＤ画像”を読み取る作業を行う。カラーレーザープリンタ３の送信部は、そのＩＤ情報を含むＩＤ画像のスキャンデータを制御装置２に送信する。
【００４４】
制御装置２においては、受信したそのスキャンデータから上述したＩＤ画像のＩＤ情報を解析して、そのＩＤ情報に対応する処理条件を読み出して、これを設定画面に再設定可能に表示する。これにより、出力担当者は、その設定画面において、これを利用して変更を伴う箇所のみを再設定するだけで良く、設定ミスが防止され、また、設定作業が大幅に省かれて、正しく且つ簡単に上述したＤＣＰの“印刷用画像データに基づく網点画像”を再出力させることができる。
【００４５】
“Ｓ０４”からの説明に戻って、ここで、高精度のＤＣＰを必要とする場合には、ＣＴＰ用ＲＩＰ４からＲＩＰ処理が施された印刷用画像データをＤＣＰ制御装置５へ送信して、これを受けたＤＣＰ制御装置５がＤＣＰ作成装置７の出力制御を行い、ＤＣＰ作成装置７がＤＣＰを出力する。
【００４６】
尚、このような場合には、ＤＣＰ制御装置５において、ＣＴＰ用ＲＩＰ４から受けたラスター画像データに網点化処理を施すことで網点画像データを生成して、さらに、当該網点画像データに、その網点化処理における処理条件と対応付けられたＩＤ情報を画像データ化したＩＤ画像データを合成することにしても良い。即ち、ＤＣＰ制御装置５に、制御装置２の後述する画像データ保存部２０〜ＩＤ画像スキャンデータ受信部２９（但し、符号順）までの各部に対応する処理部を備えることにしても良い。
【００４７】
そして、校正担当者によってＤＣＰの色校正が行われる（Ｓ０６）。ここで、問題があった場合には、その校正内容を反映させるために、再度、クライアントによりクライアント端末１において印刷用画像データの編集作業が行われ、上述した工程を経てＤＣＰが作成されて、再度、校正担当者によりそのＤＣＰの色校正が行われる。
【００４８】
そして、問題がないことが確認された場合には（Ｓ０６、ＹＥＳ）、出力担当者は、ＣＴＰ用ＲＩＰ４からＲＩＰ処理を施した印刷用画像データをＣＴＰ６に送信して、これを受けたＣＴＰ６は、印刷版に、直接、その印刷用画像データに基づく画像を記録する（Ｓ０７）。
【００４９】
そして、クライアントは、その印刷版を用いて印刷を行い、さらに、その印刷物の色校正を行う（Ｓ０８）。ここで、問題がないことが確認された場合には（Ｓ０８、ＹＥＳ）、印刷機によって複数部数の印刷物を印刷する工程へ移行する（Ｓ０９）。
【００５０】
［制御装置］
次に、当該画像出力システムを構成する制御装置２の詳細構成と詳細動作について、図３、図６及び図７を参照しながら、図４及び図５に示すフローチャートの流れに沿って説明する。尚、以下においては、制御装置２においてＣＴＰ用ＲＩＰ４から送信されたＲＩＰ処理が施された印刷用画像データ（以下、単に印刷用画像データと称する）に対して、網点化処理を施した後、その処理条件に対応して付与されたＩＤ情報を含むＩＤ画像データを合成することでＤＣＰ用画像データを生成して、カラーレーザープリンタ３において、当該ＤＣＰ用画像データに基づく画像を記録用紙に出力することで、上述したＩＤ情報を含むＩＤ画像が付加されたＤＣＰを作成する場合を例に採り説明する。
【００５１】
＜詳細構成＞
図３に示すように、制御装置２は、ＣＴＰ用ＲＩＰ４から受信した印刷用画像データを保存（この際、識別情報を付与して保持）する画像データ保存部２０と、この画像データ保存部２０に保存された印刷用画像データを解析して、当該印刷用画像データが未だラスター化されていないベクトルデータであった場合に、当該ベクトルデータにＲＩＰ処理を施すことで、これをラスター画像データに変換し、また、当該印刷用画像データが未だ網点化されていないラスター画像データであった場合に、当該ラスター画像データに網点化処理を施すことで、これをカラーレーザープリンタ３の出力解像度にあわせた網点画像データに変換する画像データ解析加工部２１と、を備えている。尚、画像データ解析加工部２１は、出力担当者が表示部２２に表示される所定の設定画面において、操作部２３の操作により当該画像データ解析加工部２１の不図示のＲＩＰ処理部に予め設定した出力条件、具体的には、予め設定された解像度やトラッピング設定条件にてベクトルデータをラスター化し、また、当該画像データ解析加工部２１の不図示の網点化処理部に予め設定された網点の形状や線数にてラスター画像データを網点化する。ここで、画像データ保存部２０は、本発明の「画像データ保存手段」に対応する。また、画像データ解析加工部２１は、本発明の「画像データ解析加工手段」に対応する。また、表示部２２は、本発明の「処理条件設定表示手段」に対応する。
【００５２】
制御装置２は、さらに、画像データ解析加工部２１の不図示のＲＩＰ処理部に予め設定された当該印刷用画像データをラスター化する際の解像度やトラッピング設定条件、同じく当該不図示の網点化処理部に予め設定された当該印刷用画像データを網点化する際の網点形状や解像度、線数、当該印刷用画像データを網点化する際に用いるドットゲインカーブ又はＩＣＣプロファイル等の処理条件を取得して、これに一意のＩＤ情報を付与した上で処理条件保存部２４に保存する処理条件取得／抽出部２５と、この処理条件取得／抽出部２５によって付与されたＩＤ情報を含むＩＤ画像データ（但し、占有面積が小さくなるように簡単に構成したもの）を生成するＩＤ画像データ生成部２６と、を備えている。ここで、処理条件取得／抽出部２５及び処理条件保存部２４は、本発明の「処理条件保存手段」を構成する。また、ＩＤ画像データ生成部２６は、本発明の「ＩＤ画像データ生成手段」を構成する。
【００５３】
尚、上述したＲＩＰ処理部や網点化処理部に予め設定される処理条件は、クライアント端末１から送信される印刷用画像データの各々について、これにＲＩＰ処理や網点化処理を施す際の処理条件として予め設定されるものである。
【００５４】
尚、これらの処理条件は、通常、文字や数値の入力によって生成されるベクトルデータとなっているため、ＩＤ画像データ生成部２６は、当該処理条件に対応付けられたＩＤ情報を画像データ化したＩＤ画像データを、画像データ解析加工部２１から出力される網点画像データに合成することができるラスター画像データとして生成する。
【００５５】
制御装置２は、さらに、画像データ解析加工部２１から出力された網点画像データの所定位置にＩＤ画像データ生成部２６によって生成されたＩＤ画像データを合成することでＤＣＰ用画像データ（上述したように、本発明の「合成印刷用画像データ」に対応する）を生成するＩＤ画像データ合成部２７と、このＩＤ画像データ合成部２７によって生成されたＤＣＰ用画像データを出力指示信号と共にカラーレーザープリンタ３へ送信する出力制御部２８と、を備えている。ここで、ＩＤ画像データ合成部２７は、本発明の「ＩＤ画像データ合成手段」を構成する。また、出力制御部２８は、本発明の「画像データ送信手段」を構成する。
【００５６】
制御装置２は、さらに、カラーレーザープリンタ３からＤＣＰ用画像データに基づく画像である“上述したカンプ用画像データや印刷用画像データに基づく網点画像と上述したＩＤ画像データに基づくＩＤ画像”のスキャンデータを受信するＩＤ画像スキャンデータ受信部２９を備え、上述した処理条件取得／抽出部２５は、さらに、このＩＤ画像スキャンデータ受信部２９が受信した“上述したカンプ用画像データや印刷用画像データに基づく網点画像と上述したＩＤ画像データに基づくＩＤ画像”のスキャンデータから上述したＩＤ情報を抽出して、当該ＩＤ情報に対応する処理条件を処理条件保存部２４から読み出して、これを表示部２２に所定の設定画面において再設定可能に表示させる。具体的には、処理条件取得／抽出部２５は、上述したＩＤ情報に対応する処理条件を表示部２２に所定の設定画面において表示させると共に、その処理条件を画像データ解析加工部２１のＲＩＰ処理部や網点化処理部に再設定する。尚、これら設定された処理条件は、上述したように、出力担当者が操作部２３を操作することで、変更することが可能となっている。さらに、出力担当者が操作部２３を操作することで“上述したカンプ用画像データや印刷用画像データ”の再出力を指示した場合には、画像データ解析加工部２１が、画像データ保存部２０に保持された当該カンプ用画像データや印刷用画像データをその識別情報に基づいて読み出して、これに対して再設定された処理条件にてＲＩＰ処理や網点化処理を施すことになる（以下の処理については、上述した通りである）。ここで、処理条件取得／抽出部２５は、本発明の「ＩＤ情報抽出手段」と「処理条件表示制御手段」にさらに対応する。
【００５７】
＜詳細動作＞
図４に示すように、このような構成において、制御装置２にＣＴＰ用ＲＩＰ４から印刷用画像データが送信された場合には、画像データ保存部２０は、その送信された印刷用画像データを保存する（画像データ保存ステップ；Ｓ１０）。尚、この際、当該印刷用画像データは識別情報を付与された上で、これ以降、当該画像データ保存部２０に保持されることになる。
【００５８】
画像データ解析加工部２１は、その保存された印刷用画像データを解析することで、その種別を判断して、当該印刷用画像データにＲＩＰ処理が施されていない場合に、校正担当者が、表示部２２が表示した所定の設定画面において操作部２３の操作により予め設定した処理条件に従って（処理条件設定表示ステップ）、これにＲＩＰ処理を施す（画像データ解析加工ステップ；Ｓ１１）。但し、上述したように、ＣＴＰ用ＲＩＰ４から送信される印刷用画像データは、全てＲＩＰ処理が施されたラスター画像データとなっているため、画像データ解析加工部２１がＲＩＰ処理を施す場合はない。
【００５９】
画像データ解析加工部２１は、さらに、その印刷用画像データに網点化処理が施されていない場合に、校正担当者が、表示部２２が表示した所定の設定画面において操作部２３の操作により予め設定した処理条件に従って、これに網点化処理を施すことで網点画像データを生成する（画像データ解析加工ステップ；Ｓ１２）。但し、上述したように、ＣＴＰ用ＲＩＰ４から送信された印刷用画像データが、既に網点化された網点画像データであった場合には、このような処理が行われることはない。
【００６０】
処理条件取得／抽出部２５は、画像データ解析加工部２１から、ＲＩＰ処理部に予め設定された、当該印刷用画像データをラスター化する際の解像度やトラッピング設定条件、網点化処理部に予め設定された、当該印刷用画像データを網点化する際の網点形状や線数、当該印刷用画像データを網点化する際に用いるドットゲインカーブ又はＩＣＣプロファイル等の処理条件を取得して（Ｓ１３）、これに一意のＩＤ情報を付与した上で処理条件保存部２４に保存する（処理条件保存ステップ；Ｓ１４）。
【００６１】
ＩＤ画像データ生成部２６は、この処理条件取得／抽出部２５によって付与されたＩＤ情報を含むＩＤ画像データ（但し、占有面積が小さくなるように簡単に構成したもの）を生成する（ＩＤ画像データ生成ステップ；Ｓ１５）
【００６２】
ＩＤ画像データ合成部２７は、画像データ解析加工部２１から出力された網点画像データの所定位置に、ＩＤ画像データ生成部２６によって生成されたＩＤ画像データを合成することでＤＣＰ用画像データを生成する（ＩＤ画像データ合成ステップ；Ｓ１６）。
【００６３】
尚、ＩＤ画像データ合成部２７は、網点画像データを構成する色版毎にＩＤ画像データを合成することでＤＣＰ用画像データを生成する。また、このＤＣＰ用画像データを生成するタイミングは、当該ＤＣＰ用画像データをカラーレーザープリンタ３へ転送する際である。
【００６４】
出力制御部２８は、ＩＤ画像データ合成部２７によって生成されたそのＤＣＰ用画像データを出力指示信号と共にカラーレーザープリンタ３へ送信する（画像データ送信ステップ；Ｓ１７）。
【００６５】
カラーレーザープリンタ３では、出力部がその送信された出力指示信号に従って、記録用紙の該当する位置に、同じく送信されたＤＣＰ用画像データに基づく画像を出力する。具体的には、ＤＣＰ用画像データを構成する網点画像データに基づく網点画像と、同じくＤＣＰ用画像データを構成するＩＤ画像データに基づくＩＤ画像とを記録用紙の該当する位置に出力する。これにより、図６に示すように、記録用紙Ｐの所定位置に印刷用画像Ｐａが出力され、さらに、そのＩＤ画像Ｐｂが付加されたＤＣＰが作成される。
【００６６】
そして、校正担当者は、そのＤＣＰの色校正を行う。そして、校正を行った結果、当該ＤＣＰの“印刷用画像データに基づく網点画像”を再度出力する必要が生じた場合には、校正担当者は、カラーレーザープリンタ３のスキャナ部によって、当該ＤＣＰ上に出力された“印刷用画像データに基づく網点画像と上述したＩＤ画像データに基づくＩＤ画像”を読み取る作業を行う。
【００６７】
尚、このＩＤ画像Ｐｂは、図６に示すように、その識別フラグとＩＤ情報の各々を一定間隔にマトリクス状に配置した黒（「ＯＮ」に相当する）と白（「ＯＦＦ」に相当する）のマス目によって、二値情報の配列として表現したものである。このように、当該ＩＤ画像Ｐｂは、その情報量が少ないことから簡単な構成となっており、その占有面積が小さくなるように構成されている。即ち、当該ＩＤ画像Ｐｂは、印刷用画像Ｐａの大きさや記録用紙Ｐの大きさに関らず、常にこれを付加して出力することができるように構成されている。
【００６８】
カラーレーザープリンタ３の送信部は、そのＩＤ情報を含むＩＤ画像のスキャンデータを制御装置２に送信する。
【００６９】
図５に示すように、制御装置２においては、ＩＤ画像スキャンデータ受信部２９がそのスキャンデータを受信して（Ｓ１８）、処理条件取得／抽出部２５が、そのスキャンデータから上述したＩＤ画像を解析する（ＩＤ情報抽出ステップ；Ｓ１９）。この際、処理条件取得／抽出部２５は、そのＩＤ画像から上述したＩＤ情報を抽出する。具体的には、そのＩＤ画像から上述した二値情報の配列を解析することで、ＩＤ情報であるそのＩＤ番号を認識する（因みに、図６に示すＩＤ画像Ｐｂにおいては、右下を最下位ｂｉｔとすると、ＩＤ番号は、９３６３となる）。
【００７０】
処理条件取得／抽出部２５は、さらに、解析したそのＩＤ番号に対応する処理条件を処理条件保存部２４から読み出して（Ｓ２０）、当該処理条件を表示部２２に所定の設定画面において再設定可能に表示させる（処理条件表示制御ステップ；Ｓ２１）。これにより、表示部２２には、例えば図７に示すような設定画面においてその処理条件が表示されると共に、その処理条件を画像データ解析加工部２１のＲＩＰ処理部や網点化処理部に再設定する。尚、上述したように、これらの処理条件は、出力担当者が操作部２３を操作することで、変更することが可能となっている。さらに、上述したように、出力担当者が操作部２３を操作することで“当該ＤＣＰの印刷用画像データ”の再出力を指示した場合には、画像データ解析加工部２１が、画像データ保存部２０に保持された当該ＤＣＰの印刷用画像データをその識別情報に従って読み出して、これに対して再設定された処理条件にてＲＩＰ処理や網点化処理を施すことになる（以下の処理については、上述した通りである）。
【００７１】
即ち、出力担当者は、その設定画面において、これを利用して変更を伴う箇所のみを再設定することだけで良く、設定ミスが防止され、また、設定作業が大幅に省かれて、正しく且つ簡単にそのＤＣＰの“印刷用画像データに基づく網点画像”を再出力させることができる。
【００７２】
［プログラム及びこれを記憶する記憶媒体］
尚、以上に説明した当該画像出力システムを構成する制御装置２において行われる処理、具体的には、図４及び図５を参照しながら説明した“画像データ保存ステップ”〜“画像データ送信ステップ”と、“ＩＤ情報抽出ステップ”〜“処理条件表示制御ステップ”までの処理を、各々、当該装置２のコンピュータ本体において実行させるためのプログラムは、当該装置２に内蔵、若しくは、接続されるメモリ等の記憶部に記憶されており、同じく当該装置２に内蔵されるＣＰＵ等の演算部により、これが読み出されて実行される。
【００７３】
因みに、上述した記憶媒体の具体例としては、例えばＲＯＭ、ＲＡＭ、フラッシュメモリ等の半導体メモリ、並びに、集積回路等のメモリ装置、光ディスク、光磁気ディスク（ＣＤ−ＲＯＭ／ＤＶＤ−ＲＡＭ／ＤＶＤ−ＲＯＭ／ＭＯ等）、磁気記憶媒体＜磁気ディスク＞（ハードディスク／フロッピー（登録商標）ディスク／ＺＩＰ等）等を挙げることができる。
【００７４】
尚、以上に説明した本実施形態における画像出力システムは、本発明の好適な一実施形態を例示したものであり、その他の実施形態を除外するものではない。
【００７５】
例えば、本実施形態においては、制御装置２にＣＴＰ用ＲＩＰ４からＲＩＰ処理が施された印刷用画像データを送信して、当該装置２の画像データ解析加工部２１がその印刷用画像データに網点化処理を施すことで網点画像データを生成して、ＩＤ画像データ合成部２７がその網点画像データに対してその処理条件を画像データ化したＩＤ画像データを合成することで、ＤＣＰ用画像データを生成する場合を例に採り説明したが、この他にも、例えばＩＤ画像データ合成部２７は、ＲＩＰ処理が施された印刷用画像データに対してＩＤ画像データを合成することで、ＤＣＰ用画像データを生成することにしても良い。また、制御装置２にクライアント端末１からＲＩＰ処理が施されていないカンプ用画像データを送信して、当該装置２の画像データ解析加工部２１がこれにＲＩＰ処理を施して、ＩＤ画像データ合成部２７がそのＲＩＰ処理が施されたカンプ用画像データに対してＩＤ画像データを合成することで、当該ＩＤ画像データが付加されたカンプ用画像データを生成することとしても良い。即ち、カンプ用画像データに基づく画像が出力された記録用紙、即ち、カラーカンプもカラープルーフに含むものとする。
【００７６】
また、本実施形態においては、制御装置２にＣＴＰ用ＲＩＰ４からＲＩＰ処理が施された印刷用画像データを送信して、当該装置２の画像データ解析加工部２１がその印刷用画像データに網点化処理を施すことで網点画像データを生成して、ＩＤ画像データ合成部２７がその網点画像データに対してＩＤ画像データを合成することで、ＤＣＰ用画像データを生成して、カラーレーザープリンタ３が、そのＤＣＰ用画像データに基づく画像を記録用紙に出力することでＤＣＰを作成する場合を例に採り説明したが、この他にも、上述したように、例えばＤＣＰ制御装置５を制御装置２と同様の構成、即ち、図３に示した機能ブロック図と同様の構成とした上で、ＣＴＰ用ＲＩＰ４からＤＣＰ制御装置５へＲＩＰ処理が施された印刷用画像データを送信して、当該装置５の画像データ解析加工部がその印刷用画像データに網点化処理を施すことで網点画像データを生成して、当該装置５のＩＤ画像データ合成部がその網点画像データに対してＩＤ画像データを合成することで、ＤＣＰ用画像データを生成して、ＤＣＰ作成装置７が、そのＤＣＰ用画像データに基づく画像を記録用紙に出力することでＤＣＰを作成することにしても良い。但し、このような場合には、ＤＣＰ作成装置７に、上述したカラーレーザープリンタ３のスキャン部と送信部の各々に対応する機能部を備えることにする。
【００７７】
また、本実施形態においては、制御装置２にＣＴＰ用ＲＩＰ４からＲＩＰ処理が施された印刷用画像データを送信して、当該装置２の画像データ解析加工部２１がその印刷用画像データに網点化処理を施すことで網点画像データを生成して、ＩＤ画像データ合成部２５がその網点画像データに対して、当該網点画像の校正を行う際に利用されるその画像構成情報に対応するＩＤ画像データを合成することで、ＤＣＰ用画像データを生成して、カラーレーザープリンタ３が、そのＤＣＰ用画像データに基づく画像を記録用紙に出力することでＤＣＰを作成する場合を例に採り説明したが、本発明は、このような校正用途、即ち、カラープルーフを作成して、その校正を行うといった際に適用されるに留まらず、例えば、同じ印刷製版業務において、従来のＰＯＤ（プリント・オン・デマンド）運用を採用する画像出力システム、即ち、必要な時に必要な部数だけ印刷物を出力するといった画像出力システムにおいても同様に適用することができる。このような場合には、従来のＰＯＤ運用を採用する画像出力システムにおいては、作業者が出力された印刷物の画像構成情報をその都度確認するといったことは困難であったのに対して、本発明を適用した画像出力システムにおいては、作業者は、出力された印刷物の画像構成情報をその都度設定可能に表示させることができ、さらには、その内容を利用して、当該印刷物に係る印刷用画像データの再出力を行うことができる。
【図面の簡単な説明】
【００７８】
【図１】本発明に係る画像出力システムの一実施形態における全体構成を表す構成図である。
【図２】図１に示す画像出力システムにおいて行われる印刷製版業務の一連の流れについて説明するためのフローチャートである。
【図３】図１に示す制御装置の詳細構成を表す機能ブロック図である。
【図４】図３に示す制御装置の各部において行われる画像出力処理の一連の流れについて説明するためのフローチャートである。
【図５】図４に引き続いて、図３に示す制御装置の各部において行われる画像出力処理の一連の流れについて説明するためのフローチャートである。
【図６】図３に示す制御装置のＩＤ画像データ合成部において印刷用画像データに合成されたＩＤ画像データの出力態様（即ち、印刷用画像に付加されて出力されたＩＤ画像の出力態様）を示す構成図である。
【図７】図３に示す制御装置の表示部において設定画面に表示された処理条件の表示態様を示す構成図である。
【符号の説明】
【００７９】
１  クライアント端末
２  制御装置
２０  画像データ保存部
２１  画像データ解析加工部
２２  表示部
２３  操作部
２４  処理条件保存部
２５  処理条件取得／抽出部
２６  ＩＤ画像データ生成部
２７  ＩＤ画像データ合成部
２８  出力制御部
２９  ＩＤ画像スキャンデータ受信部
３  カラーレーザープリンタ
４  ＣＴＰ用ＲＩＰ
５  ＤＣＰ制御装置
６  ＣＴＰ
７  ＤＣＰ作成装置
Ｐ  記録用紙
Ｐａ  印刷用画像
Ｐｂ  ＩＤ画像
【図１】
2005323263.tif 000003
【図２】
2005323263.tif 000004
【図３】
2005323263.tif 000005
【図４】
2005323263.tif 000006
【図５】
2005323263.tif 000007
【図６】
2005323263.tif 000008
【図７】
2005323263.tif 000009